(57)【特許請求の範囲】
【請求項１】
壁又は屋根の設置面に太陽電池パネルを設置する架台であって、
一面と他面及び長手と短手を有し、該他面を前記設置面に向けて設置される取付部と、該取付部の短手方向の一端から該取付部の一面側に延出し、前記太陽電池パネルを架け渡して支持する一対の保持部を有する保持部材と、
前記設置面に沿って固定される結合部材と、
を備え、
前記一対の保持部が、前記取付部の短手方向の一端から前記一面側に形成された第一の保持部と、前記取付面の短手方向の他端から前記一面側に形成された第二の保持部と、から成り、
前記第二の保持部は、前記第一の保持部よりも前記取付部寄りに形成され、
前記取付部が、
前記設置面に対向して配置される第一の取付部と、
前記第一の取付部から延出し、前記結合部材に取り付けられる第二の取付部と、
から構成されたことを特徴とする架台。
【請求項２】
前記一対の保持部が、前記太陽電池パネルの長手方向に伸び、該一対の保持部の長手寸法が該太陽電池パネルの長手寸法の少なくとも２倍であることを特徴とする請求項１に記載の架台。
【請求項３】
前記第二の取付部が、前記第一の取付部の短手方向の中央に、その長手方向に伸びて形成され、前記設置面に面する凹部である請求項１又は請求項２に記載の架台。
【請求項４】
前記第二の取付部に取り付けられた前記結合部材の一部が、該第一の取付部から張り出すことを特徴とする請求項１から請求項３のいずれかに記載の架台。
【請求項５】
前記結合部材が、前記第二の取付部に向かって形成された段部を備え、
前記第二の取付部が、前記段部に係止可能な爪部を備えた請求項１から請求項４のいずれかに記載の架台。
【請求項６】
前記第一の保持部が、
前記設置面に対して垂直に延出した垂直部と、
前記垂直部の先端から設置面に対して平行に延出した平行部と、
を備えたことを特徴とする請求項１から請求項５のいずれかに記載の架台。
【請求項７】
前記垂直部が一面を有し、該一面を含む平面を対称面として、
前記保持部材が、
前記第一の取付部と面対称に形成された第三の取付部と、
前記第二の取付部と面対称に形成された第四の取付部と、
前記一対の保持部と面対称に形成された他の一対の保持部と、
を備えることを特徴とする請求項６に記載の架台。
【請求項８】
模様及び／又は色彩が付された板体を備え、
前記板体が、前記一対の保持部または他の一対の保持部のいずれかに取り付けられたことを特徴とする請求項７に記載の架台。
【発明の詳細な説明】
【技術分野】
【０００１】
本発明は、太陽電池パネルを建物に設置するために用いる架台に関するものである。
【背景技術】
【０００２】
近年、化石燃料の消費拡大に伴う環境問題・エネルギ枯渇問題の深刻化により、太陽電池パネルを用いた発電システムの導入が活発化している。しかしながら、太陽電池パネル及びその設置費用は高価である。そこで、太陽電池パネルを用いた発電システム導入に係る費用を低減させる様々な工夫がなされている。
【０００３】
例えば、図１７に示す太陽電池パネル101は、長脚部102aを備えた枠部材102、及び短脚部103aを備えた枠部材103により、その周縁を挟み込まれている。この枠部材102、103が傾斜部を有するスペーサ104を介して屋根に螺子止めされることで、太陽電池パネル101は所定の傾斜で屋根面に固定される。よって、別置きの架台は不要であり、太陽電池パネル101の設置に要する費用を低減させている。
【０００４】
しかし、上記の太陽電池パネル101の設置には、２種類の枠部材102、103を設置対象となる全ての太陽電池パネルに対して取付け、これらを屋根面に固定するという手間のかかる作業を要するものであった。
【先行技術文献】
【特許文献】
【０００５】
【特許文献１】特許第３２９７２７７号
【発明の概要】
【発明が解決しようとする課題】
【０００６】
本発明は、上記課題に着目して為された発明であり、太陽電池パネルの設置にかかる手間を簡略化し、設置費用を低減させる太陽電池パネル設置用の架台を提供することを解決課題とする。
【課題を解決するための手段】
【０００７】
上記課題を解決するための手段として、本発明は、壁又は屋根の設置面に太陽電池パネルを設置する架台であって、
一面と他面及び長手と短手を有し、該他面を前記設置面に向けて設置される取付部と、該取付部の短手方向の一端から該取付部の一面側に延出し、前記太陽電池パネルを架け渡して支持する一対の保持部を有する保持部材を備え、前記一対の保持部が、前記取付面の短手方向の一端から前記一面側に形成された第一の保持部と、前記取付部の短手方向の他端から前記一面側に形成された第二の保持部とから成り、前記第二の保持部は、前記第一の保持部よりも取付部寄りに形成されたことを特徴とする。
【０００８】
また、前記一対の保持部が前記太陽電池パネルの長手方向に伸び、該一対の保持部の長手寸法が該太陽電池パネルの長手寸法の少なくとも２倍であることを特徴とする。
【０００９】
また、前記設置面に沿って固定される結合部材を備え、前記取付部が、設置面に対向して配置される第一の取付部と、前記第一の取付部から延出し、前記結合部材に取り付けられる第二の取付部とから構成されたことを特徴とする。
【００１０】
また、前記第二の取付部が、前記取付部の短手方向の中央に、その長手方向に形成され、前記取付部の他面側に開口する凹部である。
【００１１】
また、前記第二の取付部に取り付けられた結合部材の一部が、該第二の取付部から張り出すことを特徴とする。
【００１２】
また、前記結合部材が、前記第二の取付部に向かって形成された段部を備え、前記第二の取付部が、前記段部に係止可能な爪部を備えたことを特徴とする。
【００１３】
また、前記第一の保持部が、前記設置面に対して垂直に延出した垂直部と、前記垂直部から設置面に対して平行に延出した平行部とを備えたことを特徴とする。
【００１４】
また、前記垂直部が一面を有し、該一面を含む平面を対称面として、前記保持部材が、前記取付部及び前記一対の保持部と面対称に形成された他の取付部及び他の一対の保持部を備えることを特徴とする。
【００１５】
模様及び／又は色彩が付された板体を備え、前記板体が、前記一対の保持部または他の一対の保持部のいずれかに取り付けられたことを特徴とする。
【発明の効果】
【００１６】
本発明の架台は、保持部材の取付部を設置面に配置するだけでよい。この様に架台の部品点数及び設置工数が少ないため、設置作業の単純化及び設置時間の短縮化を図り、太陽電池パネルを用いた発電システムの導入に係る費用を低減させることができる。
【００１７】
また、一対の保持部の長手寸法が太陽電池パネルの長手寸法の２倍以上であるため、複数枚の太陽電池パネルを一組の架台に取付けることができる。よって、設置作業をさらに簡略化することができる。
【００１８】
また、設置面に固定される結合部材を備え、さらに保持部材が、結合部材に取付け可能な第二の取付部を有することで、螺子を屋根面に打ち込むことなく保持部材を設置できる。よって雨漏りの発生を防止することができる。
【００１９】
また、保持部材は、その取付部の中央に第二の取付部が形成されているため、設置した架台の安定性を向上させることができる。
【００２０】
また、設置面と保持部材との間に隙間が形成されるため、設置面を伝って流れる雨水が架台内に進入することを防止できる。また、設置作業において、保持部材の取回しが向上する。
【００２１】
また、保持部材を結合部材に取り付ける際に、爪部を段部に引っ掛けて、保持部材を螺子止めできる。このため、保持部材の取り付けが手軽となり、設置作業にかかる負担、人員を減らすことができる。
【００２２】
また、第一の保持部が、取付部の一端から設置面に対して垂直に延出し、第二の保持部が帯状の取付部の他端から、第一の保持部より幅狭に延出しているため、この一対の保持部により保持された太陽電池パネルは、設置面に対して傾斜して設置される。よって、平らな設置面に固定した場合でも、太陽電池パネル本体は適切な角度で効率的に太陽光を受けることができる。
【００２３】
また、面対称に形成された２組の一対の保持部により、保持部材は２つの太陽電池パネルを対称的に傾斜させて保持できる。よって、太陽の位置が変わっても、いずれかの太陽電池パネルの受光面が最適に太陽光を受けて、発電効率を向上させることができる。
【００２４】
また、板体に会社名等を記載すれば、表札としても使用できる。さらに、ビルの壁面に複数の架台を縦横に配列すれば、看板としても使用できる。
【図面の簡単な説明】
【００２５】
【図１】実施例１の架台の設置態様を示す、取付部の幅方向に沿った断面図である。
【図２】実施例２の架台及び太陽電池パネルを示した斜視図である。
【図３】実施例２の架台の設置態様を示す、取付部の幅方向に沿った断面図である。
【図４】実施例２の架台の他の設置態様を示す、取付部の幅方向に沿った断面図である。
【図５】実施例２の架台を用いた太陽電池パネルの設置態様を示す斜視図である。
【図６】実施例３の結合部材を示した斜視図である。
【図７】実施例４の保持部材を示した斜視図である。
【図８】実施例５の保持部材を示した斜視図である。
【図９】実施例６の架台を示す、取付部の幅方向に沿った断面図である。
【図１０】実施例７〜実施例９の架台であり、その取付部の短手方向に沿った断面図である。
【図１１】実施例１０〜実施例１３の架台であり、その取付部の短手方向に沿った断面図である。
【図１２】実施例１４の架台であり、その取付部の短手方向に沿った断面図である。
【図１３】実施例１４の架台の使用態様を示した斜視図である。
【図１４】実施例１４の架台の他の使用態様を示した斜視図である。
【図１５】照明装置を示したブロック図である。
【図１６】本発明の架台を用いた照明装置を示した斜視図である。
【図１７】従来の太陽電池パネルの設置態様を示した図である。
【発明を実施するための形態】
【００２６】
以下、図面に基づいて本発明の太陽電池パネルの設置用架台を説明する。
【実施例１】
【００２７】
図１に示すように、本実施例の架台100は、太陽電池パネル1を屋根面、壁面等の設置面2に設置するものであり、保持部材300を備える。
【００２８】
保持部材300は、太陽電池パネル1を保持するものである。保持部材300は、所定幅を有する帯状の鋼板を折り曲げて一体的に形成される。しかし、これに限られることなく、アルミニウムの押出成形により形成されても良い。その長手寸法は特に限定されることなく、太陽電池パネル1の長手寸法や、太陽電池パネル1の使用枚数に応じて適宜調節可能である。保持部材300は、取付部370と、第一の保持部32及び第二の保持部33からなる一対の保持部を有している。
【００２９】
取付部370は、設置面2に接して配置される。取付部370は、設置面2に沿って帯状に広がっている。また、その幅方向の両端部には複数の取付孔39が、長手方向に所定の間隔で開設されている。
【００３０】
第一の保持部32は、太陽電池パネル1の一端1aを保持する。第一の保持部32は、垂直部34と、先端部36とから構成される。垂直部34は、取付部370の幅方向の一端370aから設置面2に対して垂直に、帯状に、延出している。先端部36は、垂直部34の先端から、帯状に、延出しており、設置面2に対して所定の角度で傾斜している。先端部36の長手に伸びる中心線上には、複数の取付孔39が開設されている。
【００３１】
第二の保持部33は、太陽電池パネル1の他端1bを保持する。第二の保持部33は、帯状である。また第二の保持部33は、取付部370の幅方向の他端370bから、設置面2に対して所定の角度で上方に、第一の保持部32と比べて幅狭く、延出している。第二の保持部33は、第一の保持部32の先端部36と対向しており、設置面2に対する傾斜角度は先端部36と等しく、平行している。また、第二の保持部33の先端部38には、複数の取付孔39が所定の間隔で長手方向に沿って開設されている。
【００３２】
本実施例の保持部材300は、螺子14が取付部370の取付孔39を介して垂木4等に螺子止めされることで屋根面に固定される。また、螺子15が各先端部36、38の取付孔39を介して太陽電池パネル1の両側面の螺子孔に螺子止めされることにより、太陽電池パネル1は一対の保持部にまたがって取付けられる。各先端部36、38の形状は本実施例に限られず、断面コ字状に折り曲げられ、太陽電池パネル1の縁部を挟持するものであってもよい。また、パネルの下面に螺子孔を有する太陽電池パネル1を保持するために、各先端部36、38が同一平面上に位置するよう折り曲げられてもよい。
【００３３】
本発明の架台100は、帯状の取付部370を設置面2に沿って配置するだけで設置することができる。この様に、架台100の部品点数及び設置工数が少ないため、設置作業の単純化及び設置時間の短縮化を図り、太陽電池パネル1を用いた発電システムの導入に係る費用を低減させることができる。
【実施例２】
【００３４】
図２及び図３に示すように、架台10は、結合部材20と、取付部が、設置面2に沿って配置された第一の取付部37と、結合部材20に沿って配置された第二の取付部31から構成された保持部材30とを備えて成る。
【００３５】
結合部材20は、保持部材30を設置面2へ固定するものである。結合部材20は鋼材から成る三角柱形状の棒状体である。しかしこれに限られず、他の多角柱形状であってもよい。また、鋼板を折り曲げて中空形状に形成してもよく、木材、樹脂又はこれらと鋼材とを組み合わせて形成できる。結合部材20の長手寸法は、複数の太陽電池パネル1の長手寸法の合計に応じて設計される。しかしこれに限定されることなく、例えば、太陽電池パネル1一枚分の長手寸法であってもよく、または設置面2の範囲に応じて設計してもよい。結合部材20は、固定面21、２つの取付面22、及び固定片23を有している。固定面21は、結合部材20の一の側面であり、設置面2に接して配置される。取付面22は、結合部材20の他の側面であり、その長手方向に伸びる中心線上に複数の螺子孔25が所定の間隔で開設されている。固定片23は、結合部材20の両端から設置面2に沿って延出した板状のものである。固定片23の中心部には取付孔24が開設されている。
【００３６】
第一の取付部37は、設置面2に配置される。第一の取付部37は設置面2に沿って、帯状に、広がっている。第一の取付部37は、その幅方向の両端部に複数の取付孔39が、長手方向に所定の間隔で開設されていてもよい。
【００３７】
第二の取付部31は、結合部材20の一方の取付面22へと取付けられる。第二の取付部31は、第一の取付部37の一端37aから結合部材20の一の取付面22に沿って、帯状に、延出している。本実施例では、第二の取付部31は結合部材20の取付面22の形状及び寸法と同一である。第二の取付部31の長手に伸びる中心線上には、複数の取付孔39が結合部材20の螺子孔25に対応して開設されている。
【００３８】
第一の保持部32は、平行部35をさらに備えてもよい。平行部35は、垂直部34の先端から設置面2に対して平行に、帯状に、延出しており、垂直部34と先端部36との間に介在している。
【００３９】
図４及び図５に基づいて、本実施例の架台10及び太陽電池パネル1の設置について説明する。長手方向を屋根の傾斜方向に向けた結合部材20が、固定面21を屋根面に接して配置される。そして、図２に示すように、螺子14が固定片23の取付孔24を介して垂木4に螺子止めされることで、結合部材20が屋根面に固定される。次に、第二の取付部31が結合部材20の一方の取付面22に螺子15で螺子止めされる。本実施例では、第一の取付部37は設置面2に固定されていない。しかし、保持部材30の取付強度を向上させるために第一の取付部37を設置面2に螺子止めしてもよい。次に、太陽電池パネル1が一対の保持部にまたがって螺子止めされる。さらに、結合部材20の他方の取付面22に対して他の保持部材30及び太陽電池パネル1を取付けてもよい。この際、各保持部材30の垂直部34に取付孔を開設し、ボルトにより保持部材を互いに固定してもよい。そして、複数の太陽電池パネル1が一組の架台10に取付けられる。この様に設置された架台10及び太陽電池パネル1が、所定の間隔で、屋根の傾斜方向に直交して並設される。
【００４０】
本実施例の架台10を用いれば、保持部材30は螺子15により、結合部材20へと取外し可能に取付けられる。これにより、保持部材30に変形、破損等が生じた場合には、その交換を容易に行うことができ、また何度でも保持部材30を交換することができる。この際、新たに、設置面2に螺子孔が形成されないので、雨漏りが生じることはない。また、メンテナンス時の施工時間を短縮化して、施工費用を低減させることができる。
【００４１】
また、複数枚の太陽電池パネル1を一対の保持部に取付けることができるので、設置作業を簡略化することができる。また、太陽電池パネル1毎に螺子を屋根面に打ち込む必要がないので、これによる雨漏りの発生を防止することができる。
【００４２】
また、第一の保持部32が第二の保持部33と比べて幅広に取付部から上方に延出しているため、一対の保持部により保持された太陽電池パネル1は、設置面2に対して傾斜して設置される。よって、太陽電池パネル1の受光面を太陽に向けて設置して発電効率を向上させることができる。例えば、結合部材20の各取付面22に保持部材30を取り付けた架台10が、結合部材20の長手方向を屋根の傾斜方向に向けて、南向きの屋根面に設置された場合には、太陽電池パネル1の受光面が東方又は西方に傾けられて設置されるので、太陽電池パネル1は朝日及び夕日を発電効率良く受けることができる。また、太陽が南中に位置する場合には、両方の太陽電池パネル1が均等に発電する。このため、日照時間帯に関係なく安定的に電力を供給することができる。
【００４３】
また、各取付面22に保持部材30を取り付ければ、各垂直部34が互いに接して支持し合うことで、各取付面22にかかる負荷を分散させることができる。また、平行部35により螺子止め作業の空間を確保できるので、作業効率が向上する。
【００４４】
図５に示すように、本実施例の架台10を壁面に設置してもよい。この架台10は、結合部材20の長手方向を鉛直方向に向けて設置されている。結合部材20の固定片23は、建物の基礎、外壁、胴縁又は柱等に固定される。本実施例では、２台の架台10が、窓の外側の壁面に沿って、所定の間隔を隔てて水平方向に並設されているが、台数に制限はない。この様に並設された架台10は、太陽光発電を行うとともに、並設された架台10及びその隙間により、窓から差し込む太陽光を和らげることができる。また、太陽電池パネル1の配線を太陽電池パネル1と保持部材30との間に収納することができるので、配線の風雨による劣化を防止するとともに、室内から見た窓の外側の景色を害することがない。また、壁面への架台10の設置態様は、これに限られない。例えば、結合部材20の長手方向を水平方向に向けて壁面に設置してもよい。太陽電池パネル1の受光面を上向きに取付け、発電効率を向上させることができる。
【実施例３】
【００４５】
図６に示すように、所定の間隔で配設された複数の固定片23を有する結合部材40を備えた架台であってもよい。本実施例では、各固定片23は、太陽電池パネル1の長手寸法と略等しい間隔で配設されている。しかし、これに限られることなく、任意の間隔で固定片23を配設してもよい。
【００４６】
本実施例の結合部材40を用いれば、結合部材40が複数の固定片23を有するため、固定箇所の数が増えるので、架台の固定強度を向上させることができる。
【実施例４】
【００４７】
図７に示すように、他の取付部及び他の一対の保持部を有する保持部材50を備えた架台11であってもよい。
【００４８】
他の取付部は、第三の取付部57と、第四の取付部51とから構成される。第三の取付部57は、結合部材20の取付面22b側の設置面2に配置される。第三の取付部57は、設置面2に沿って帯状に広がっている。また第三の取付部57の寸法は第一の取付部37と等しい。第四の取付部51は、取付面22bへ取付けられる。第四の取付部51は、第三の取付部57の幅方向の一端から取付面22bに沿って帯状に延出しており、その寸法は第二の取付部31と等しい。第四の取付部51の長手に伸びる中心線上には、複数の取付孔が結合部材20の螺子孔25に対応して開設されている。
【００４９】
他の一対の保持部は、他の太陽電池パネル1を保持するものである。他の一対の保持部は、第三の保持部52と、第四の保持部53とから構成される。第三の保持部52は、垂直部54、平行部55、先端部56から構成されている。垂直部54は第四の取付部51の幅方向の一端から設置面2に対して垂直に、帯状に、延出しており、垂直部34と一体的に形成されている。平行部55は、帯状であり、垂直部54の先端から設置面2に対して平行に、かつ平行部35とは逆方向に延出している。第四の保持部53は、第三の取付部57の幅方向の他端から、第三の保持部52より幅狭く上方に延出している。
【００５０】
すなわち、図３において、垂直部34の一面34aを含む平面を対称面として、他の取付部及び他の一対の保持部は、取付部及び一対の保持部と面対称に、一体的に、形成されている。ここで、垂直部34の一面34aは、取付面22に面した第二の取付部31の一面から、設置面2に対して垂直に延出している。
【００５１】
本実施例の架台11を用いれば、保持部材50は、面対称に形成された２組の保持部により、太陽電池パネル1を対称的に傾斜させて保持できる。よって、太陽の位置が変わっても、いずれかの太陽電池パネル1の受光面が最適に太陽光を受けて、発電効率を向上させることができる。
【００５２】
また、架台11は、各先端部36、56、及び各平行部35、55により形成された溝部59を覆うカバー18を備えてもよい。カバー18は、結合部材20の長手方向に伸びる板体である。カバー18は溝部59に嵌め込まれる。カバー18により溝部59を覆うことで、螺子止め部を隠すことができ、外観上好ましい。また雨水の進入を防止することができる。
【実施例５】
【００５３】
図８に示すように、第二の保持部70が第一の保持部60に対して摺動移動可能な保持部材を備えた架台12であってもよい。
【００５４】
本実施例の取付部は、第二の取付部31と、上下に重なり合う第一の取付部77a、77bから構成される。上側の第一の取付部77aは、第二の取付部31の一端から設置面2に平行に、帯状に、延出している。また、その先端部68は略直角に上方に折り曲げられている。下側の第一の取付部77bは、設置面2に沿って帯状に広がっており、上側の第一の取付部77aと寸法が等しい。また下側の第一の取付部77bは、設置面2と上側の第一の取付部77aとの間に介在している。下側の第一の取付部77bは、短手の両縁部に、断面コ字状に折り曲げられ、上側の第一の取付部77aの短手の縁部を挟持する挟持部71を有している。これにより、下側の第一の取付部77bは上側の第一の取付部77aに対して摺動移動することができる。また、上側の第一の取付部77aの先端部68が、ストッパーとして挟持部71に引っ掛かるため、上側及び下側の第一の取付部77a、77b互いに外れることがない。
【００５５】
第一の保持部60は、垂直部34と、平行部35と、第一の保持片66と、ヒンジ69とから構成される。第一の保持片66は、帯状の板体であり、その長手方向に伸びる中心線上に螺子孔を有する。ヒンジ69は、回転軸と、この回転軸に接続された２個の可動片を有しており、一方の可動片は、平行部35の長手の縁部に取付けられ、他方の可動片は第一の保持片66の一方の長手の縁部に取付けられる。ヒンジ69は、回転軸を中心として、第一の保持片66を回転自在に支持する。
【００５６】
第二の保持部70は、ヒンジ69と、第二の保持片78とから構成される。ヒンジ69の一方の可動片は、下側の第一の取付部77bの長手の縁部に取付けられ、他方の可動片は、第二の保持片78の一方の長手の縁部に取付けられる。
【００５７】
本実施例の保持部材は、第二の保持部70が第一の保持部60に対して摺動移動可能であり、第一の保持片66及び第二の保持片78が回転自在に支持されている。よって太陽電池パネル1の寸法に応じて、第二の保持部70を摺動移動させ、各保持片66、78を太陽電池パネル1の一対の周縁に取り付けることができる。したがって、設置する太陽電池パネル1の選択の幅が広がる。
【実施例６】
【００５８】
図９に示すように、設置面2に敷設された板状の結合部材80を用いた架台13であってもよい。結合部材80は矩形であり、その材質はアルミニウム等の軽量な部材が好ましい。結合部材80は固定面81と取付面82を有する。固定面81は結合部材80の一の面であり設置面2に接して配置される。取付面82は結合部材80の他の面であり、複数の螺子孔85が配設されている。結合部材80の四隅には取付孔84が開設されており、取付孔84を介して螺子14が胴縁3に螺子止めされることにより結合部材80は壁面に設置される。取付孔84は、胴縁3の位置に応じて開設されてもよい。また、結合部材80は、壁面だけでなく、屋根面に設置してもよい。屋根面に設置する場合には、垂木4に対して螺子止めを行うことが好ましい。保持部材90は取付部に取付孔99を有し、螺子15により結合部材80に螺子止めされる。
【実施例７】
【００５９】
取付部は、図１０に示すように、一面538と他面536及び長手と短手を有しており、この取付部の短手方向の中央に、取付部の長手方向に形成され、取付部の他面536側に開口する凹部からなる第二の取付部534と、この第二の取付部534と第一の保持部556との間に設けられた一の第一の取付部574と、第二の取付部534と第二の保持部558との間に設けられた他の第一の取付部576とから成るものであっても良い。取付部の長手及び短手はそれぞれ太陽電池パネル501の長手方向及び短手方向と一致している。この取付部は、他面536が設置面2に向けられて設置され、一面538側には太陽電池パネル501が配置される、
【００６０】
第二の取付部534は、断面が台形の凹部である。この断面形状は台形に限られず、例えばＶ字状であっても良く、結合部材520の形状に応じて適宜設計可能である。この第二の取付部534の深さは２０ｍｍであるが、これに限定されない。
【００６１】
一の第一の取付部574及び他の第一の取付部576は、取付部の長手方向に帯状に広がり、他面536を設置面2に向けて配置される。図１１に示すように、一の第一の取付部574と第一の保持部556との間に第二の保持部31を形成してもよい。
【００６２】
図１０に示す本実施例の保持部材530は、その取付部の中央に第二の取付部534が形成されているため、設置した架台500の安定性を向上させている。
【実施例８】
【００６３】
一対の保持部は、図１０に示すように、取付部の短手方向の一端548から延出して太陽電池パネル501の一方の縁部501aを保持する第一の保持部556と、取付部の短手方向の他端部に形成されて太陽電池パネル501の他方の縁部501bを保持する第二の保持部558から構成されてもよい。
【００６４】
第一の保持部556は、取付部の一端548から設置面2に対して垂直に延出する帯状の第一の垂直部540と、この第一の垂直部540の先端から延びて第二の保持部558に向かって傾斜する帯状の傾斜部542と、この傾斜部542の先端から第二の保持部558に向かって延出する帯状の当接部544と、この当接部544から突出する帯状の第一の先端部546とから構成される。第一の先端部546には複数の取付穴39が形成されている。
【００６５】
第二の保持部558は、取付部の他端部、取付部の他端550から設置面2に対して垂直に延出する第二の垂直部552、及びこの第二の垂直部552の先端から第一の保持部556に向かって延出した第二の先端部554とに囲まれて形成された空間であり、第一の保持部556より取付部寄りに形成される。
【００６６】
本実施例において、太陽電池パネル501の縁部は、側面と、側面から内側に向かって傾斜する傾斜面を有している。この太陽電池パネル501は、前記他方の縁部501bが第二の保持部558に差し込まれ、前記一方の縁部501aの傾斜面が第一の保持部556の当接部544に当てられた状態で、その側面が第一の先端部546に螺子止めされている。これにより、太陽電池パネル501は、一対の保持部に架け渡されて保持されている。
【００６７】
本実施例の架台500は、太陽電池パネル501の他方の縁部501ｂを第二の保持部558に差し込んで、一方の縁部501aを螺子で固定するだけで架台500に取り付けられる。よって、太陽電池パネルの取り付けにかかる手間を簡略化し、工期を短縮することができる。また、第二の保持部558において、太陽電池パネル501の傾斜面を利用して、太陽電池パネルの他端501bを保持しているため、埃が積もり易い第二の垂直部552を狭く形成できる。
【実施例９】
【００６８】
本実施例の結合部材520は、図１０に示すように、保持部材530と設置面2の間に介在する直線状の棒状体であり、例えば、アルミニウムを押出成形して成るものである。結合部材520は、設置面2に接して配置される固定面521と、保持部材530の第二の取付部534に取り付けられる取付面522を有している。本実施例において、結合部材520の形状は、一対の平行面を有する六角柱形状であり、一の平行面が固定面521、他の平行面及びその両端から延出する傾斜面が取付面522となる。結合部材520の形状は、六角柱形状に限られず、四角柱形状、三角柱形状等であってもよい。
【００６９】
この結合部材520は、保持部材530が結合部材520に取り付けられたとき、結合部材520の一部が第二の取付部534から張り出すように形成されており、設置面2と保持部材530の間には隙間が形成される。本実施例において、一対の平行面の間隔は２５ｍｍであり、第二の取付部534の深さは２０ｍｍである。このため、設置面2と保持部材530との間には５ｍｍの隙間が形成されている。この結合部材520は、設置面2に設けられたアンカーボルトに対して固定される。
【００７０】
本実施例の架台500は、設置面2と保持部材530との間に隙間が形成されるため、設置面2を伝って流れる雨水が架台500内に進入することを防止できる。また、設置作業において、保持部材530の取回しが向上する。
【実施例１０】
【００７１】
架台500及び太陽電池パネル501の設置方法を以下に示す。
（１）アンカーボルト（不図示）を準備し、設置面2にこのアンカーボルトを設置する。
（２）結合部材520を準備し、結合部材520の螺子孔23にアンカーボルトを通して、ボルト（不図示）で締め付けて結合部材520を設置面2に固定する。
（３）保持部材530を準備し、この第二の取付部534を結合部材520の取付面522に螺子（不図示）で固定する。
（４）太陽電池パネル501を準備し、この他方の縁部501ｂを第二の保持部558へ差し込み、一方の縁部501aの傾斜面を第一の保持部556の当接部544に当てて、一方の縁部501aの側面を螺子15で第一の先端部546に取り付ける。
【００７２】
ここで、架台500は、取付部の長手を水平方向に向けて、かつ、第二の保持部558を上方にして壁面に設置できる。この設置作業において、保持部材530の取り付けを手軽にするため、本実施例の架台500は、図１０に示すように、結合部材520の取付面522に第二の取付部534に向かって形成された段部524と、保持部材530の第二の取付部534に形成され、段部524に向かって延びる爪部560とを備えてもよい。
【００７３】
段部524は、取付面522の一部に形成された立下りの段である。この段部524は、結合部材520の長手にわたって形成されている。爪部560は、他の第一の取付部576と第二の取付部534とが交わった辺上に形成され、他の第一の取付部576と同一の面上に突出している。爪部560は、第二の保持部558側だけでなく第一の保持部556側の第二の取付部534に形成できる。爪部560は段部524に係止させることができる。
【００７４】
この架台500は、保持部材530を結合部材520に取り付ける際に、爪部560を段部524に係止させて、保持部材530を螺子止めできる。このため、保持部材530の取り付けが手軽となり、設置作業にかかる負担、人員を減らすことができる。
【実施例１１】
【００７５】
本実施例の架台502は、図１１に示すように、第一の保持部556に使用する螺子15の頭部を覆うカバー562を備えたものである。カバー562は平板状であり、螺子15の頭部を覆うように第一の保持部556の傾斜部542に取り付けられている。またカバー562は、その取り外しを専用の工具を用いてすることが好ましい。
【００７６】
カバー562で螺子15の頭部を覆うことで、太陽電池パネル501及び架台502の外観が良くなる。また、容易に螺子15を取り外し出来ないため、太陽電池パネル501の盗難を防止することができる。
【実施例１２】
【００７７】
本実施例の保持部材532は、図１１に示すように、第一の垂直部540に、水抜き穴564が形成されたものである。この水抜き穴564の数、及びその寸法は、特に限定されない。この架台500は、水抜き穴564を通じて架台500内に進入した雨水を排出し、電気系統の障害の発生を防止することができる。
【実施例１３】
【００７８】
保持部材532は、図１１に示すように、取付部が長手方向に分割されて形成された第一の保持部材566と第二の保持部材568から構成されたものであってもよい。本実施例において、保持部材は第二の取付部534の中央で分割されている。分割された保持部材532はボルト578及びナット580により連結されている。
【００７９】
第一の保持部材566は、分割されて形成された一の第二の取付部570と、この一の第二の取付部570から延びる一の第一の取付部574と、一の第一の取付部574の先端に形成された第一の保持部556とから構成される。
【００８０】
第二の保持部材568は、分割されて形成された他の第二の取付部572と、この他の第二の取付部572から延びる他の第一の取付部576と、他の第一の取付部576の先端に形成された第二の保持部558とから構成される。
【００８１】
保持部材を分割することで、保持部材532の持ち運びが容易となり、省スペースで保管可能である。
【実施例１４】
【００８２】
本実施例の架台は、図１２に示すように、第一の垂直部540の一面を含む平面を対称面として配置された２つの架台502が、互いの第一の垂直部540を連結させてなる連結架台600である。各保持部材532の第一の垂直部540は螺子で互いに固定されている。連結架台600は、各保持部材532の一対の保持部に太陽電池パネル501を取り付けることができる。そして、その取付部の長手を鉛直方向に向けて、建物の壁面に設置できる。
【００８３】
また、他の設置態様として、図１３に示すように、取付部の長手を水平に向けた連結架台600を壁面に設置できる。この際、下方の保持部材に広告パネル602を取り付けても良い。広告パネル602は、模様や色彩が付された板体と、この板体の四方を保持する枠体から構成される。板体及び枠体は、例えば金属製、樹脂製のものが使用できる。この広告パネル602の寸法、形状は太陽電池パネル501と同一の寸法、形状である。この広告パネル602は、下方の保持部材の一対の保持部に架け渡されて保持される。取り付け方法及び態様は、太陽電池パネル501と同様である。
【００８４】
この連結架台600は、例えば、板体に会社名等を記載すれば、図１３に示すような表札として使用できる。また、ビルの壁面に複数の連結架台600を縦横に配列すれば、図１４に示すような看板としても使用できる。なお、この連結架台600はその側面を覆う側部カバー604を備えている。
【００８５】
上記各実施例の架台は、例えば、図１５及び図１６に示す照明装置700に用いることができる。
【００８６】
照明装置700は、太陽電池パネル501の出力端子に電気接続された充電コントローラと、この充電コントローラの一の出力端子に電気接続された蓄電池と、充電コントローラの他の出力端子に電気接続された照明部を備える。
【００８７】
充電コントローラ、蓄電池、及び照明部は、保持部材532及び太陽電池パネル501に囲まれて形成される空間に取り付けられる。照明部は、光源701と、光源701をＰＷＭ（Pulse Width Modulation）制御する光源コントローラと、充電コントローラから電力の供給を受け、その電力を光源701及び光源コントローラへ供給する電源回路と、光源コントローラに電気的に接続された昼光センサから構成される。光源701としては、例えば複数のＬＥＤ（Light Emitting Diode）を使用できる。光源コントローラとしては、マイクロコントローラを使用できる。この光源701は、光の出射部分を保持部材532から露出させて取り付けられる。本実施例では複数のＬＥＤを用いたが、これに限られず、高輝度のＬＥＤを一つ用いてもよい。
【００８８】
太陽電池パネル501から出力された電力は充電コントローラを介して蓄電池及び照明部に供給される（図１５において実線矢印で示す）。照明部の光源コントローラは昼光センサの信号に基づいて光源701を点灯、消灯させる。昼間では、昼光センサが明るさを検知し、この信号に基づいて光源コントローラは光源701を消灯させる。この際、太陽電池パネル501からの電力は主に蓄電池の充電に用いられる。夜間では、昼光センサが暗がりを検知し、この信号に基づいて光源コントローラは光源701を点灯させる。この際、蓄電池に充電された電力が照明部へと供給される（図１５において破線矢印で示す）。この照明装置700は夜間照明として使用され、電力を節約することができる。また、照明装置700は、例えば壁面に付けられた看板の上方に設置することができ、この看板を照らすことができる。
【００８９】
以上、本発明の架台について説明したが、本発明はその趣旨を逸脱しない範囲で、当業者の知識に基づき種々の改良、修正、変形を加えた態様で実施し得るものであり、これらの態様はいずれも本発明の範囲に属するものである。
【００９０】
例えば、設置対象となる屋根面は片流れに限られない。例えば寄棟屋根、切妻屋根等であってもよい。また設置対象の建物は家屋に限られない。例えば、マンション、デパート、ビル等の壁面や、屋上に設置してもよい。
【符号の説明】
【００９１】
1・501...太陽電池パネル、2...設置面、10・11・12・13・500・502...架台、14・15...螺子、20・40・80・520...結合部材、21・81・521...固定面、22・82・522...取付面、23...固定片、30・50・90・300・530・532...保持部材、31・51・534...第二の取付部、32・60・556...第一の保持部、33・70・558...第二の保持部、34・54...垂直部、35・55...平行部、36・38・56...先端部、37・57・574・576...第一の取付部、370...取付部
【図１】
0005636021.tif 000002
【図２】
0005636021.tif 000003
【図３】
0005636021.tif 000004
【図４】
0005636021.tif 000005
【図５】
0005636021.tif 000006
【図６】
0005636021.tif 000007
【図７】
0005636021.tif 000008
【図８】
0005636021.tif 000009
【図９】
0005636021.tif 000010
【図１０】
0005636021.tif 000011
【図１１】
0005636021.tif 000012
【図１２】
0005636021.tif 000013
【図１３】
0005636021.tif 000014
【図１４】
0005636021.tif 000015
【図１５】
0005636021.tif 000016
【図１６】
0005636021.tif 000017
【図１７】
0005636021.tif 000018